(57)【要約】【課題】折版屋根の下側に隠れたタイトフレームの位置を容易に確認でき、かつ、タイトフレームの重量及び製造コストが増大せず、さらに、折版屋根の取付けに際して外観が損なわれることのないタイトフレームを提供する。【解決手段】タイトフレームの頂部に突起を形成し、タイトフレーム上に折版屋根を載置した状態で頂部を叩打した場合に、頂部の突起形状が折版屋根に転写されるようにする。【選択図】  図１
0003110294.tif 000002
【実用新案登録請求の範囲】
【請求項１】
頂部と、その頂部の左右に接続される傾斜部と、それら傾斜部の下端に接続される底部とで構成される折曲形状を有し、該折曲形状に対応した折版屋根を載置した状態で、折版屋根側から締結部材によって折版屋根及びタイトフレームを穿孔して、折版屋根を締結するタイトフレームであって、
上記頂部に突起を形成し、タイトフレーム上に折版屋根を載置した状態で頂部を叩打した場合に、頂部の突起形状が折版屋根に転写されるようにしたことを特徴とするタイトフレーム。
【請求項２】
上記頂部の突起は２箇所形成されており、該２箇所の突起の中央が、頂部上の理想的な締結部材の穿孔位置となっていることを特徴とする請求項１に記載のタイトフレーム。
【考案の詳細な説明】
【技術分野】
【０００１】
本発明は、梁等に折版屋根を取り付ける際に使用されるタイトフレームに関し、特に、折版屋根を載置した状態で、折版屋根側から締結部材によって折版屋根及びタイトフレームを穿孔して折版屋根を締結するタイプのタイトフレームに関する。
【背景技術】
【０００２】
従来、梁等に折版屋根を取り付ける際に使用されるタイトフレームとして、折版屋根を載置した状態で、折版屋根側からセッパンビス等の締結部材によって折版屋根及びタイトフレームを穿孔・貫通して折版屋根を締結するタイプのものが知られている。
【０００３】
このタイプのタイトフレームでは、折版屋根をタイトフレーム上に載置した場合に折版屋根によってタイトフレームが完全に隠れてしまう。そのため、作業者がタイトフレームを視認できず、そのままでは折版屋根の頂部の長手方向のどの位置の下側にタイトフレームがあるのかを確認できない。したがって、作業者は、折版屋根の頂部と傾斜部との境界をその長手方向に沿って叩打していき、タイトフレームの形状を折版屋根に転写させてタイトフレームの位置を確認している。
【考案の開示】
【考案が解決しようとする課題】
【０００４】
しかし、上記従来のタイトフレームでは、折版屋根を叩打することによるタイトフレーム形状の転写が困難且つ不明瞭であり、タイトフレームの位置を明確に確認できないといった問題がある。
【０００５】
また、折版屋根の叩打によって、タイトフレームの厚み方向に対して斜めから力が加えられるため、タイトフレームが変形しないようにフレーム厚をある程度厚くしなければならない。そのため、タイトフレームの重量及び製造コストが増大してしまうといった問題も生じる。
【０００６】
さらに、折版屋根の境界を叩打することになるため、折版屋根の境界が潰れて変形し、外観が損なわれるといった問題もある。
【０００７】
そこで本発明は、上記従来の問題点に鑑みて、折版屋根の下側に隠れたタイトフレームの位置を容易に確認でき、かつ、タイトフレームの重量及び製造コストが増大せず、さらに、折版屋根の取付けに際して外観が損なわれることのないタイトフレームを提供することを課題とする。
【課題を解決するための手段】
【０００８】
上記課題を解決するために請求項１記載の発明は、頂部と、その頂部の左右に接続される傾斜部と、それら傾斜部の下端に接続される底部とで構成される折曲形状を有し、該折曲形状に対応した折版屋根を載置した状態で、折版屋根側から締結部材によって折版屋根及びタイトフレームを穿孔して、折版屋根を締結するタイトフレームであって、上記頂部に突起を形成し、タイトフレーム上に折版屋根を載置した状態で頂部を叩打した場合に、頂部の突起形状が折版屋根に転写されるようにしたことを特徴としている。
【０００９】
請求項２に記載の発明は、請求項１に記載のタイトフレームにおいて、上記頂部の突起は２箇所形成されており、該２箇所の突起の中央が、頂部上の理想的な締結部材の穿孔位置となっていることを特徴としている。
【考案の効果】
【００１０】
請求項１に記載の発明によれば、タイトフレーム上に折版屋根を載置した状態で頂部を叩打することにより、タイトフレーム頂部の突起形状が折版屋根に転写されるため、折版屋根の下側に隠れたタイトフレームの位置を容易に確認できる。また、タイトフレームの頂部をフレームの厚み方向に対して垂直方向に叩打すればよいので、タイトフレームが変形しずらく、フレーム厚を薄く設計することが可能となり、さらに、折版屋根の境界が潰れて外観が損なわれることもない。
【００１１】
請求項２に記載の発明によれば、タイトフレーム上に折版屋根を載置した状態で頂部を叩打することにより、折版屋根に２箇所の突起が転写され、その中央を、タイトフレーム上の理想的な締結部材の穿孔位置と確認することができる。したがって、タイトフレームの位置のみならず、タイトフレーム頂部上の締結部材の締結位置をも容易に確認することができる。
【考案を実施するための最良の形態】
【００１２】
以下、本発明を図示の実施の形態に基づいて説明する。
【００１３】
図１を参照して、１はタイトフレームであり、このタイトフレーム１は、金属製の薄板を曲げ加工することにより連続折曲形状に形成されている。具体的には、タイトフレーム１は、平坦な頂部２と、その頂部２の左右に接続されて下方に傾斜する傾斜部３と、それら傾斜部３の下端に接続される平坦な底部４とで構成され、これら頂部２、傾斜部３及び底部４による折曲形状が連続している。
【００１４】
このタイトフレーム１は、複数個を梁等に所定間隔を存して互いに平行に、且つそれらの折曲形状が揃うように固定して使用する。そして、それらの折曲形状に対応した折版屋根をタイトフレーム１上に載置した状態で、折版屋根側からセッパンビス等の締結部材によって折版屋根及びタイトフレーム１を穿孔して、折版屋根を締結する。
【００１５】
前記傾斜部３と、前記頂部２の傾斜部３との接続部付近は、タイトフレーム１の長手方向に沿う下に凸のリブ５が形成されている。これにより、タイトフレーム１の傾斜部３の剛性が高められている。
【００１６】
また、前記頂部２及び傾斜部の上端３ａは、その幅方向端部が下方に曲げ加工されて、曲げ縁部６が形成されている。これにより、タイトフレーム１の頂部２の剛性が高められている。
【００１７】
前記頂部２には２つの突起２ａが形成されており、この２つの突起２ａは、タイトフレームの長手方向に沿って所定間隔を存して、かつ、タイトフレーム１の幅方向中央にそれぞれ形成されている。そして、この２つの突起２ａの中央が、頂部２上の理想的な締結部材の穿孔位置、すなわち頂部２の中心となっている。
【００１８】
前記底部４の中央には、タイトフレーム１を梁等に固定するときに用いる固定孔４ａが穿たれている。
【００１９】
次に、本実施形態に係るタイトフレーム１の作用について説明する。
【００２０】
まず、タイトフレーム１は、上述したように、複数個を梁等に所定間隔（例えば３０００ｍｍ）を存して互いに平行に固定される。具体的には、前記底部４の固定孔４でタイトフレーム１を梁等にネジ止めするか、または、底部４を梁等に対して溶接によって固定する。このとき、複数のタイトフレーム１の折曲形状の頂部２及び底部４の位置が揃うように固定する。
【００２１】
そして、その後作業者は、折版屋根の折曲形状が各タイトフレーム１の折曲形状に対応するように、折版屋根をタイトフレーム１上に載置する。
【００２２】
続いて、作業者は、折版屋根の折曲形状の、タイトフレーム１の頂部２に対応する部分を、折版屋根の長手方向に沿ってハンマー等で叩いていく。これにより、タイトフレーム頂部２の突起２ａの形状が折版屋根に転写され、折版屋根の下側に隠れたタイトフレーム１の位置が容易に確認される。そこで作業者は、転写された突起２ａ形状の中央を、折版屋根側からセッパンビス等の締結部材によって穿孔し、折版屋根を締結する。
【００２３】
なお、上記実施形態では、折版屋根をハンマー等で叩くことによりタイトフレーム１の突起２ａ形状を転写して突起２ａ位置を確認しているが、折版屋根が比較的薄い場合には、作業者が指等で押圧することによって突起２ａ位置を確認することもできる。
【００２４】
また、本実施形態では、頂部２に突起２ａを二つ設け、この２つの突起２ａの中央を理想的な締結部材の穿孔位置としたが、本発明はこれに限定されるものではなく、突起２ａとの位置関係により理想的な締結部材の穿孔位置が確認できる物であればよい。例えば、突起２ａの位置自体を理想的な締結部材の穿孔位置としても良く、あるいは、突起を１つまたは３つ以上設けるようにしても良い。
【００２５】
なお、本発明は上記実施形態に限定されるものではなく、必要に応じて種々変更することが可能である。
【図面の簡単な説明】
【００２６】
【図１】本発明の実施の形態に係るタイトフレームを示す正面図
【図２】本発明の実施の形態に係るタイトフレームを示す上面図
【符号の説明】
【００２７】
２    頂部
２ａ  突起
３    傾斜部
４    底部
【図１】
0003110294.tif 000003
【図２】
0003110294.tif 000004